【事件の表示】
　特許第２８６４７４０号「テレビカメラ用レンズのエクステンダ操作装置」の特許に対する特許異議の申立てについて、次のとおり決定する。
【結　論】
　訂正を認める。
　特許第２８６４７４０号の特許を維持する。
【理　由】
（１）手続の経緯
　特許第２８６４７４０号の請求項１に係る発明は、平成２年１２月１８日に特許出願され、平成１０年１２月１８日にその特許の設定登録がなされ、その後異議申立人キャノン株式会社により特許異議の申立がなされ、取消理由通知がなされ、その指定期間内である平成１２年２月８日に訂正請求がなされたものである。　
（２）訂正の適否についての判断
　（ア）訂正明細書の請求項１に係る発明
　訂正明細書の請求項１に係る発明は、その特許請求の範囲の請求項１に記載された次の事項により特定されるとおりのものである。
　「【請求項1】テレビカメラ用撮影レンズ系の光路内に変倍レンズを挿入または退避させる手動切換レバーを備えたテレビカメラ用レンズのエクステンダ操作装置において、
　前記エクステンダ操作装置は、前記手動切換レバーに隣接する位置に着脱自在に装着され、装着時に前記手動切換レバーと連結されて、遠隔操作される駆動手段を有し、
　前記駆動手段は、前記エクステンダ操作装置の装着時に、切換えレバーの回動域に位置し、
　エクステンダ用変倍レンズが光路中に位置した時、エクステンダ用変倍レンズが光路外に位置した時に前記駆動手段のモータを停止させる手段を有し、前記駆動手段を遠隔操作することにより前記手動切換レバーを操作して前記変倍レンズをテレビカメラ用撮影レンズ系の光路内に挿入または退避させるようにしたことを特徴とするテレビカメラ用レンズのエクステンダ操作装置。」　
　（イ）訂正の内容
　訂正事項a
　特許請求の範囲の請求項1に係る記載
　「【請求項1】テレビカメラ用撮影レンズ系の光路内に変倍レンズを挿入または退避させる手動切換レバーを備えたテレビカメラ用レンズのエクステンダ操作装置において、前記手動切換レバーに隣接する位置に着脱自在に装着され、装着時に前記手動切換レバーと連結され、遠隔操作される駆動手段を設け、前記駆動手段を遠隔操作することにより前記手動切換レバーを操作して前記変倍レンズをテレビ力メラ用撮影レンズ系の光路内に挿入または退避させるようにしたことを特徴とするテレビカメラ用レンズのエクステンダ操作装置。」を、
　「【請求項1】テレビカメラ用撮影レンズ系の光路内に変倍レンズを挿入または退避させる手動切換レバーを備えたテレビカメラ用レンズのエクステンダ操作装置において、前記エクステンダ操作装置は、前記手動切換レバーに隣接する位置に着脱自在に装着され、装着時に前記手動切換レバーと連結されて、遠隔操作される駆動手段を有し、前記駆動手段は、前記エクステンダ操作装置の装着時に、切換えレバーの回動域に位置し、エクステンダ用変倍レンズが光路中に位置した時、エクステンダ用変倍レンズが光路外に位置した時に前記駆動手段のモータを停止させる手段を有し、前記駆動手段を遠隔操作することにより前記手動切換レバーを操作して前記変倍レンズをテレビカメラ用撮影レンズ系の光路内に挿入または退避させるようにしたことを特徴とするテレビカメラ用レンズのエクステンダ操作装置。」と訂正する。
　訂正事項b
　明細書の段落【０００７】
　「【課題を解決するための手段】　本発明は、前記目的を達成するために、・・・特徴とする。」を、
　「【課題を解決するための手段】　本発明は、前記目的を達成するために、テレビカメラ用撮影レンズ系の光路内に変倍レンズを挿入または退避させる手動切換レバーを備えたテレビカメラ用レンズのエクステンダ操作装置において、前記エクステンダ操作装置は、前記手動切換レバーに隣接する位置に着脱自在に装着され、装着時に前記手動切換レバーと連結されて、遠隔操作される駆動手段を有し、前記駆動手段は、前記エクステンダ操作装置の装着時に、切換えレバーの回動域に位置し、エクステンダ用変倍レンズが光路中に位置した時、エクステンダ用変倍レンズが光路外に位置した時に前記駆動手段のモータを停止させる手段を有し、前記駆動手段を遠隔操作することにより前記手動切換レバーを操作して前記変倍レンズをテレビカメラ用撮影レンズ系の光路内に挿入または退避させるようにしたことを特徴とする。」と訂正する。　
　（ウ）訂正の目的の適否、新規事項の有無及び拡張・変更の存否
　訂正事項ａに係る訂正は、特許請求の範囲の減縮に該当し、実質的に特許請求の範囲を拡張又は変更するものではないし、新規事項の追加にも該当しない。
　訂正事項ｂに係る訂正は、明瞭でない記載の釈明に該当し、実質的に特許請求の範囲を拡張又は変更するものではないし、新規事項の追加にも該当しない。　 
　（エ）独立特許要件の判断
　（引用刊行物）
　訂正明細書の請求項１に係る発明（以下、「本件請求項１に係る発明」という。）に対して、当審が平成１１年１１月１５日付で通知した取消理由で引用した刊行物１（特開昭５６−１４４４０８号公報）には、
　「撮影光路内に回動軸２４を介して回動自在に挿入退出されるエクステンダレンズ２８は前記回動軸２４に固着された支持部材２７に支持されている。
　この回動軸２４の近傍には前記レンズ２８が撮影光路内に挿入されたときにＮＣ端子よりＮＯ端子に切換られる位置検出スイッチＳＷ６および前記光路外に退出されたときにＮＣ端子よりＮＯ端子に切換られる位置検出スイッチＳＷ５がそれぞれ並設されている。
　これらのスイッチの切換は前記回動軸上に、これらのスイッチＳＷ５およびＳＷ６の摺接面が移動制御される切欠を設けることによってなされる。
　さらに、この回動軸２４には歯車２３が固着されており、前記レンズの駆動用モータＥＭによりギヤトレイン２１および２２を介して回動駆動される。
　この回動軸２４にはさらにエクステンダの手動操作により切換が行なわれるようにマニュアルレバー２６が固着されている。」（第２頁右下欄第１８行〜第３頁左上欄第１８行）
　「切換スイッチＳＷ１のコモン端子が（×２）に切換えられている（２倍のエクステンダが撮影光路内に挿入されている）場合に入力端子３０にパターンプロジェクタ切換手段よりの高電位信号が供給される場合。
　第３図に示す各スイッチの状態で入力端子３０に高電位が供給され、トランジスタＴｒ１はオンしようとするが、トランジスタＴｒ２のエミッタ端子はスイッチＳＷ５のＮＯ端子に接続されているためオープン状態にあるため、オンとはならず前記反射ミラーＭの駆動用モータＰＭの回動動作は一時中止される。
　またトランジスタＴｒ３およびＴｒ４はオンとなりオペアンプＯＰ３の出力電位は低電位すなわちオペアンプＯＰ４の出力電位は高電位となり、前記モータＥＭはオペアンプＯＰ４の出力からスイッチＳＷ５のＮＣ端子およびダイオードＤ４を介して電源が供給される。したがって２倍のエクステンダレンズ２８は前記光路外に退出する。
　ここでスイッチＳＷ６は前記レンズ２８の初期移動によりＮＯ端子からＮＣ端子に切換わっており、前記レンズ２８が前記光路外に退出終了直前にスイッチＳＷ５がＮＣ端子からＮＯ端子に切換わるため前記モータＥＭの回動（矢印×１の方向）は停止する。
　この時にスイッチＳＷ５のＮＯ端子は高電位となりトランジスタＴｒ２のエミッタに電源を供給するため前記一時中止されたトランジスタＴｒ１およびＴｒ２はオンとなる。そこでオペアンプＯＰ１の正入力端子を高電位となしオペアンプＯＰ１の出力端子を高電位およびオペアンプＯＰ２　の出力端子を低電位となり、前記モータＰＭは回動（矢印ＯＮ方向）し前記反射ミラーＭを前記光路内に挿入させ、パターンプロジェクタモードに切換えられる。
　次に、パターンプロジェクタ切換信号が停止すなわち入力端子３０の電圧が参照電圧より低い電位になった場合には、トランジスタＴｒ１およびＴｒ２が共にオフし、オペアンプＯＰ１の出力電圧は低電位したがってオペアンプＯＰ２の出力電圧は高電位となる。そこで前記モータＰＭは前記スイッチＳＷ４のＮＣ端子を介して図中矢印ＯＦＦ方向に回動し、反射ミラーＭが前記光路外に退出した時に前記スイッチＳＷ３およびＳＷ４は第３図に示す状態となり停止する。
　その際に前記スイッチＳＷ４のＮＯ端子は高電位となっているため、オペアンプＯＰ３の出力電圧は高電位したがってオペアンプＯＰ４の出力電圧は低電位となり、前記モータＥＭは図中（×２）方向に回動する。したがって、エクステンダレンズ２８が前記光路内に再び挿入され、前記スイッチＳＷ５およびＳＷ６が第３図に示す状態となった所で停止する。
　このようにエクステンダレンズが撮影光路内に挿入されている場合であっても、パターンプロジェクタ切換信号が入力された際にはこの信号が優先しエクステンダレンズ２８を退出させた後に反射ミラーＭが挿入される。
　さらにこの信号が停止された時にはエクステンダ切換手段すなわち前記スイッチＳＷ１の設定位置に応じて制御され、前記エクステンダレンズ２８は再び前記光路内に挿入されるのである。」（第４頁右上欄第１０行〜第５頁左上欄第１４行）が記載されている。
　同刊行物２〔実願昭６３−１６５１４２号（実開平２−８６２７１号）のマイクロフィルム〕には、
　「従来のビデオカメラにおいては、例えば第２図に示すように、リモートコントロール用の駆動ユニット5を外付けとし、リモートコントロール時には例えばビューファインダ4を外して該ビューファインダ4の取付具6に前記駆動ユニット5を取付け、あるいは外付マイクロフォン取付などに用いるアクセサリーシューに前記駆動ユニット5を取付可能とし、前記フィルタディスク(図示せず)に連動する回転軸に手動操作時はつまみ２を取付け、リモートコントロール使用時は前記駆動ユニットの回転駆動部を連動させるためのアダプタ3を取付けていた。
　そのため、ビデオカメラでの撮影時にカメラ操作者が前記つまみ2と前記アダブタ3とを交換する操作が必要となり、ねじまわしなどの工具を携行する煩わしさや前記つまみ2などの紛失のおそれがあった。もちろん、前記つまみ2と前記アダプタ3と両方を製造することによるコスト高もあった。」（第４頁第８行〜第５頁第６行）
　「本考案のビデオカメラにおいて、前記駆動ユニットを該駆動ユニットをビデオカメラ本体に取付けるための取付具に装着した状態において、前記第1の歯車と前記第2の歯車とが連動するように配されているので、前記駆動ユニットに備えるモータの回転によって前記フィルタディスクを回転させることが出来る。従って、前記駆動ユニットにリモートコントロール装置を備えていれば、リモートコントロールにて前記フィルタディスクを回転させることが出来る。
　また、前記第1の歯車には該第1の歯車と回転中心を同じくするつまみを有することにより、手動にて前記つまみを回して前記フィルタディスクを回転させることが出来る。従って、手動にてもリモートコントロールにても前記フィルタディスクを回転させることが出来る。
　また、前記駆動ユニットは前記フィルタディスクをリモートコントロールで回転させる必要がない場合はビデオカメラ本体から取り外してあるので、ビデオカメラ本体を小型軽量にすることが出来る。」（第６頁第１１行〜第７頁第１２行）
　「本実施例においては、第１図に示すように、第2図の従来例に比べてつまみ2とアダプタ３のかわりに、第1の歯車３Ａとつまみ２Ａとが回転中心を同じくして一体化されていることが異なる。これにより、駆動ユニット5を取り外して手動にてフィルタディスク(図示せず)を回転させる時はつまみ２Ａを操作し(第1図（ａ）)、駆動ユニット5を取付けてリモートコントロールにてフィルタディスクを回転させる時は駆動ユニット5に内蔵するモータにより第2の歯車３Ｂを回転させて、第2の歯車３Ｂとかみあって連動する第1の歯車３Ａを回転させ、フィルタディスクを回転させる(第1図（ｂ）)。」（第７頁第１９行〜第８頁第１２行）が記載されている。　
　（対比・判断）
　本件請求項１に係る発明と上記刊行物１又は２に記載の発明とを対比すると、両刊行物に記載の発明は、本件請求項１に係る発明を特定する事項である、駆動手段は、着脱自在な操作装置の装着時に、切換えレバーの回動域に位置し、駆動手段を操作することにより手動切換レバーを操作する点、および、着脱自在、かつ遠隔操作される駆動手段を有するものが、エクステンダ操作装置用である点、を備えておらず、これらの点により本件請求項１に係る発明は、明細書記載の効果、及び平成１２年２月８日付特許異議意見書第２頁第２１〜２３行に記載された「本件発明は、既存の手動操作型のエクステンダに、エクステンダ操作装置を装着するだけで、既存のエクステンダの構成を変更することなく、既存のエクステンダを遠隔操作型に切り換えて使用することができる」という効果を奏するものであり、本件請求項１に係る発明が上記刊行物１又は２に記載された発明であるとも、両刊行物記載のものから容易に推考することができたものともいえない。　　
　したがって、本件請求項１に係る発明は特許出願の際独立して特許を受けることができるものである。　
　（オ）むすび
　以上のとおりであるから、上記訂正請求は、特許法等の一部を改正する法律（平成６年法律第１１６号）附則第６条第１項の規定によりなお従前の例によるとされる、特許法第１２０条の４第２項、同条第３項で準用する第１２６条第２〜４項の規定に適合するので、当該訂正を認める。　
（３）特許異議の申立について
　（ア）申立の理由の概要
　申立人キャノン株式会社は、証拠として甲第１号証（特開昭５６−１４４４０８号公報）、甲第２号証〔実願昭６３−１６５１４２号（実開平２−８６２７１号）のマイクロフィルム〕、甲第３号証〔実願昭５５−１２７４９６号（実開昭５７−５１３７７号）のマイクロフィルム〕及び甲第４号証（実公昭４５−２０１０６号公報）を提出し、本件請求項１に係る発明の特許は、甲第１号証及び甲第２号証記載の発明に基づいて当業者が容易に発明することができたものであるので特許法第２９条第２項の規定に違反してなされたものであるから、本件請求項１に係る発明の特許を取り消すべき旨主張している。　
　（イ）甲各号証記載の発明
　申立人キャノン株式会社が提出した甲第１号証及び甲第２号証は、当審が平成１１年１１月１５日付で通知した取消理由で引用した刊行物１及び刊行物２と同じものであり、上記「（２）、（エ）独立特許要件の判断、（引用刊行物）」において示されたとおりの発明が記載されている。
　同甲第３号証には、フェーダ装置に関するものであり、フェーダレバー８を電動機９又は手動により駆動できる装置が、記載されている。
　同甲第４号証には、配線用遮断機の遠隔操作装置に関するものであり、手動操作用取手１９をプランジャー式の電磁石２により左右に駆動できる装置が、記載されている。　
　（ウ）対比・判断
　本件請求項１に係る発明と申立人が提出した甲第１〜４号証記載の発明とを対比すると、甲第１〜４号証記載の発明は、本件請求項１に係る発明を特定する事項である、駆動手段は、着脱自在な操作装置の装着時に、切換えレバーの回動域に位置し、駆動手段を操作することにより手動切換レバーを操作する点、および、着脱自在、かつ遠隔操作される駆動手段を有するものが、エクステンダ操作装置用である点、を備えておらず、これらの点により、本件請求項１に係る発明は、甲第１〜４号証に記載されたものとも、甲第１及び２号証に記載の発明、あるいは甲第１〜４号証記載の発明から当業者が容易に推考することができたものともいえない。　
　（エ）むすび
　したがって、特許異議申立の理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１２年３月１５日（２０００．３．１５）
【訂正の要旨】
（訂正の要旨）
　訂正事項ａ
　特許請求の範囲の請求項１に係る記載
　「【請求項１】テレビカメラ用撮影レンズ系の光路内に変倍レンズを挿入または退避させる手動切換レバーを備えたテレビカメラ用レンズのエクステンダ操作装置において、前記手動切換レバーに隣接する位置に着脱自在に装着され、装着時に前記手動切換レバーと連結され、遠隔操作される駆動手段を設け、前記駆動手段を遠隔操作することにより前記手動切換レバーを操作して前記変倍レンズをテレビカメラ用撮影レンズ系の光路内に挿入または退避させるようにしたことを特徴とするテレビカメラ用レンズのエクステンダ操作装置。」を、
　「【請求項１】テレビカメラ用撮影レンズ系の光路内に変倍レンズを挿入または退避させる手動切換レバーを備えたテレビカメラ用レンズのエクステンダ操作装置において、前記エクステンダ操作装置は、前記手動切換レバーに隣接する位置に着脱自在に装着され、装着時に前記手動切換レバーと連結されて、遠隔操作される駆動手段を有し、前記駆動手段は、前記エクステンダ操作装置の装着時に、切換えレバーの回動域に位置し、エクステンダ用変倍レンズが光路中に位置した時、エクステンダ用変倍レンズが光路外に位置した時に前記駆動手段のモータを停止させる手段を有し、前記駆動手段を遠隔操作することにより前記手動切換レバーを操作して前記変倍レンズをテレビカメラ用撮影レンズ系の光路内に挿入または退避させるようにしたことを特徴とするテレビカメラ用レンズのエクステンダ操作装置。」と訂正する。
　訂正事項ｂ
　明細書の段落【０００７】
　「【課題を解決するための手段】　本発明は、前記目的を達成するために、・・・特徴とする。」を、
　「【課題を解決するための手段】　本発明は、前記目的を達成するために、テレビカメラ用撮影レンズ系の光路内に変倍レンズを挿入または退避させる手動切換レバーを備えたテレビカメラ用レンズのエクステンダ操作装置において、前記エクステンダ操作装置は、前記手動切換レバーに隣接する位置に着脱自在に装着され、装着時に前記手動切換レバーと連結されて、遠隔操作される駆動手段を有し、前記駆動手段は、前記エクステンダ操作装置の装着時に、切換えレバーの回動域に位置し、エクステンダ用変倍レンズが光路中に位置した時、エクステンダ用変倍レンズが光路外に位置した時に前記駆動手段のモータを停止させる手段を有し、前記駆動手段を遠隔操作することにより前記手動切換レバーを操作して前記変倍レンズをテレビカメラ用撮影レンズ系の光路内に挿入または退避させるようにしたことを特徴とする。」と訂正する。
（５４）【発明の名称】
テレビカメラ用レンズのエクステンダ操作装置
（５７）【特許請求の範囲】
　　【請求項１】テレビカメラ用撮影レンズ系の光路内に変倍レンズを挿入または退避させる手動切換レバーを備えたテレビカメラ用レンズのエクステンダ操作装置において、
　
前記エクステンダ操作装置は、
有し、
　
前記駆動手段は、前記エクステンダ操作装置の装着時に、切換えレバーの回動域に位置し、
　
エクステンダ用変倍レンズが光路中に位置した時、エクステンダ用変倍レンズが光路外に位置した時に前記駆動手段のモータを停止させる手段を有し、
　前記駆動手段を遠隔操作することにより前記手動切換レバーを操作して前記変倍レンズをテレビカメラ用撮影レンズ系の光路内に挿入または退避させるようにしたことを特徴とするテレビカメラ用レンズのエクステンダ操作装置。
【発明の詳細な説明】
　【０００１】
　　【産業上の利用分野】
　本発明はテレビカメラ用レンズのエクステンダ操作装置に係り、特にテレビカメラ用撮影レンズ系の光路内に変倍レンズを挿入または退避させるエクステンダ操作装置に関する。
　【０００２】
　　【従来の技術】
　テレビカメラ、特にＥＮＧ（エレクトリック、ニュース、ギャザリング）カメラは、ニュース取材、スポーツ取材、スポーツ中継及びドラマ取り等に主に使用されるので、カメラマンの操作性、機動性に対応できるものが必要であり、また、このようなカメラに使われるレンズも同様である。
　【０００３】
　このようなＥＧＮカメラ用レンズとして、エクステンダを内臓したズームレンズがある。
　前記エクステンダを内蔵したＥＮＧカメラ用レンズは、図５に示すようにエクステンダユニット１０がＥＮＧカメラ用レンズ１２の後部側に接続されている。前記エクステンダユニット１０の機構は、撮影レンズ系のリレーレンズ部のアフオーカス部に変倍レンズが挿入、退避できる構造とされている。
　【０００４】
　また、前記変倍レンズの挿入、退避の切り換えはエクステンダユニット１０に取付けられた手動切換レバー１４によってカメラマンが手動により行っている。
　【０００５】
　　【発明が解決しようとする課題】
　しかしながら、前記ＥＮＧカメラは前述したようにニュース取材、スポーツ取材、スポーツ中継及びドラマ取り等に使用する時、カメラのみをクレーン装置等により高所で移動させて撮影する場合がある。従って、このような場合、カメラマンが前記変倍レンズを迅速に切り換えることができないという欠点がある。
　【０００６】
　本発明はこのような事情に鑑みてなされたもので、カメラから離れた位置からエクステンダを操作することができるテレビカメラ用レンズのエクステンダ操作装置を提供することを目的とする。
　【０００７】
　　【課題を解決するための手段】
　本発明は、前記目的を達成するために、テレビカメラ用撮影レンズ系の光路内に変倍レンズを挿入または退避させる手動切換レバーを備えたテレビカメラ用レンズのエクステンダ操作装置において、
前記エクステンダ操作装置は、
有し
前記駆動手段は、前記エクステンダ操作装置の装着時に、切換えレバーの回動域に位置し、エクステンダ用変倍レンズが光路中に位置した時、エクステンダ用変倍レンズが光路外に位置した時に前記駆動手段のモータを停止させる手段を有し、
　【０００８】
　　【作用】
　本発明によれば、エクステンダ操作装置をエクステンダユニットの手動切換手段に連結する。そして、前記エクステンダユニットに内蔵された変倍レンズを切り換える場合には、遠隔操作で前記エクステンダ操作装置の駆動手段を駆動させて前記手動切換レバーを作動させる。これにより、テレビカメラから離れた位置からエクステンダユニットの変倍レンズを切り換えることができる。
　【０００９】
　　【実施例】
　以下添付図面に従って本発明に係るテレビカメラのエクステンダ操作装置の好ましい実施例について詳説する。
　図１は本発明に係るテレビカメラ用レンズのエクステンダ操作装置がＥＮＧカメラ用レンズに取付けられた実施例が示され、図５に示した従来例中と同一若しくは類似の部材については、同一の符号を付して説明する。
　【００１０】
　図１に示すように、ＥＮＧカメラ用レンズ１２のエクステンダユニット１０にはエクステンダ操作装置１６が連結されている。
　前記エクステンダ操作装置１６は、ＥＮＧカメラ用レンズ１２の後部でエクステンダユニット１０に隣接した位置に配置され、図２に示す一対のボルト１８、２０によってＥＮＧカメラ用レンズ１２に着脱自在に取付けられる。図３に示すようにエクステンダ操作装置１６は内部にギア伝達機構が配置され、このギア伝達機構の一枚のギア２４に駆動ピン２２が突設され、この駆動ピン２２はエクステンダ操作装置１６を取付けると、図２に示したエクステンダユニット１０の手動切換レバー１４の回動域に位置し、手動切換レバー１４に当接可能となっている。
　【００１１】
　前記駆動ピン２２は図３に示すように、軸２６に固着されたギア２４の片面に突設され、ギア２４が左右両方向に回転することにより、図中矢印方向に回動し手動切換レバー１４を駆動する。前記軸２６にはギア２４が固着され、このギア２４はギア２５及びギア２７を介して駆動モータ３０の駆動ギア３２に連結される。従って、前記駆動モータ３０を作動すると、その駆動力がギア３２→ギア２７→ギア２５→ギア２４に伝達され、前記駆動ピン２２を適宜に回転させることができる。
　【００１２】
　また、モータ３０は所定の位置、即ちエクステンダ用変倍レンズが光路中に位置したとき、及び光路外に位置したことを検出するスイッチによって作動が停止される。
　次に、前記の如く構成された本発明に係るテレビカメラのエクステンダ操作装置の作用について説明する。
　【００１３】
　先ず、前記エクステンダ操作装置１６をＥＮＧカメラ用レンズ１２に装着する前に、手動切換レバー１４を第２図中実線位置（右側の位置）、即ち変倍レンズを光軸上から退避させる位置に予め手動で移動する。
　次に、駆動ピン２２を図３に示す位置、即ち図２の実線で示す前記手動切換レバー１４の左側面に当接する位置に、駆動モータ３０を予め駆動して位置させる。
　【００１４】
　次いで、手動切換レバー１４とピン２２とを前記所定の位置に設定した後、エクステンダ操作装置１６を一対のボルト１８、２０を用いてＥＮＧカメラ用レンズ１２に装着する。これによって、エクステンダ操作装置１６の取付けが完了する。
　そして、前記ＥＮＧカメラ用レンズ１２を図示しないカメラ移動装置に載置し、ＥＮＧカメラ用レンズ１２のみを移動して撮影を開始する。そして、その撮影状況に応じて、前記変倍レンズを光路内に挿入する場合には、リモートコントロールユニットをカメラマンが操作し、ケーブル４０を介してエクステンダ操作装置１６に変倍レンズを挿入する信号を送信する。前記信号を受信するとエクステンダ操作装置１６は、駆動モータ３０を図３中時計方向回りに回転させる信号を駆動モータ３０に送信する。これにより、前記ギア２４は時計方向回りに回転するので、ピン２２が前記手動切換レバー１４の左側面から退避して略３／４回転した時に手動切換レバー１４の右側面に当接する。そして、前記ピン２２は手動切換レバー１４を押圧して手動切換レバー１４を第２図中左側の位置、即ち変倍レンズを光軸上に移動させる位置に移動する。手動切換レバー１４がこの位置まで移動すると、手動切換レバー１４はエクステンダユニット１０に内蔵された図示しないストッパに当接して移動不可能になると共に、変倍レンズ位置検出用スイッチの作用により駆動モータ３０は停止する。
　【００１５】
　これによって、変倍レンズの挿入が終了する。
　次に、前記変倍レンズを光軸上から退避させる場合には、リモートコントロールユニットを操作し、ケーブル４０を介してエクステンダ操作装置１６に変倍レンズを退避する信号を送信する。前記信号を受信するとエクステンダ操作装置１６は、駆動モータ３０を図３中反時計方向回りに回転させる。これにより、前記ギア２４は反時計方向回りに回転するので、駆動ピン２２が前記手動切換レバー１４の右側面から退避して略３／４回転した時に手動切換レバー１４の左側面に当接する。そして、前記駆動ピン２２は手動切換レバー１４を押圧して手動切換レバー１４を第２図中右側の位置、即ち変倍レンズを光軸上から退避させる位置に移動する。手動切換レバー１４がこの位置まで移動すると、手動切換レバー１４がストッパに当接して移動不可能になると共に、変倍レンズ位置検出用スイッチの作用により駆動モータ３０は停止する。
　【００１６】
　これによって、変倍レンズの退避が終了する。
　このように本実施例では、変倍レンズの手動切換レバー１４に遠隔操作可能なエクステンダ操作装置１６を着脱自在に連結したので、カメラのみを移動させて撮影する場合でも、エクステンダを適宜に切り換えることができる。
　尚、このエクステンダ操作装置１６に電動ズーム機構、電動フォーカス機構あるいはアイリス制御機構等を一体に取付け、これらの電動ズーム機構、電動フォーカス機構あるいはアイリス制御機構を図４に示すケーブル４２、４４、４６を介して遠隔操作することにより、カメラ本体を非常にコンパクトに構成することができる共に、カメラマンの調整操作を大幅に軽減することができる。
　【００１７】
　　【発明の効果】
　以上説明したように本発明に係るテレビカメラ用レンズのエクステンダ操作装置によれば、エクステンダ操作装置を変倍レンズの手動切換レバーに着脱自在に連結し、この手動切換レバーを遠隔操作可能な駆動手段で作動させることにより前記変倍レンズを切り換えるようにしたので、テレビカメラから離れた位置からエクステンダを操作することができる。
【図面の簡単な説明】
　　【図１】
　本発明に係るテレビカメラ用レンズのエクステンダ操作装置がＥＮＧカメラ用レンズに取付けられた実施例を示す斜視図
　　【図２】
　本発明に係るテレビカメラ用レンズののエクステンダ操作装置の正面図
　　【図３】
　本発明に係るテレビカメラ用レンズのエクステンダ操作装置の駆動系の実施例を示す説明図
　　【図４】
　本発明に係るテレビカメラ用レンズのエクステンダ操作装置の実施例を示す側面図
　　【図５】
　従来のＥＮＧカメラ用レンズの実施例を示す斜視図である。
　　【符号の説明】
　１０…エクステンダユニット
　１２…ＥＮＧカメラ用レンズ
　１４…手動切換レバー
　１６…エクステンダ操作装置
　１８、２０…ボルト
　２２…ピン
　２４、２８、３２…ギア
　３０…駆動モータ